(57)【要約】【課題】本発明の目的は、低コストで表示装置の視認性を向上させることにある。【解決手段】表示装置は、収納空間を内部に有する機器に設けられる装置であって、窓部と、導光板と、光源と、制御部とを含む。窓部は、透光性材料で形成され、収容空間を機器の外部から視認可能である。導光板は、窓部に重ねて配置され、透光性材料で形成されている。光源は、導光板の端面から導光板の内部に向かって光を照射する。制御部は、光源を制御する。導光板は、複数のプリズムを含む。複数のプリズムは、光源からの光を反射することで、導光板の表面に所定のパターンを表示させる。制御部は、光源を制御して、所定のパターンの表示を切り換える。【選択図】図７
2019154860.tif 000002
【特許請求の範囲】
【請求項１】
収納空間を内部に含む機器に設けられる表示装置であって、
透光性材料で形成され、前記収容空間を前記機器の外部から視認可能な窓部と、
前記窓部に重ねて配置され、透光性材料で形成された導光板と、
前記導光板の端面から前記導光板の内部に向かって光を照射する光源と、
前記光源を制御する制御部と、
を備え、
前記導光板は、前記光源からの光を反射することで前記導光板の表面に所定のパターンを表示させる複数のプリズムを含み、
前記制御部は、前記光源を制御して、前記所定のパターンの表示を切り換える、
表示装置。
【請求項２】
前記機器は、前記収納空間に連通する開口と、前記開口を開閉可能に設けられる扉部とを含み、
前記窓部は、前記扉部に設けられる、
請求項１に記載の表示装置。
【請求項３】
前記機器は洗濯機であり、
前記洗濯機は、
洗濯槽と、
前記洗濯槽を収容する収容空間と、前記収容空間に連通する開口とを含む本体ハウジングと、
前記開口を開閉可能に設けられる扉部と、
を含み、
前記窓部は、前記扉部に設けられる、
請求項１に記載の表示装置。
【請求項４】
前記機器は、加熱調理機器であり、
前記加熱調理機器は、
加熱ユニットと、
前記加熱ユニットによって加熱される物が配置される収容空間と、前記収容空間に連通する開口とを含む本体ハウジングと、
前記開口を開閉可能に設けられる扉部と、
を含み、
前記窓部は、前記扉部に設けられる、
請求項１に記載の表示装置。
【請求項５】
前記制御部は、前記所定のパターンの表示と非表示とを切り換える、
請求項１から４のいずれかに記載の表示装置。
【請求項６】
前記機器は、操作部をさらに含み、
前記制御部は、前記操作部の操作に応じて、前記所定のパターンの表示を切り換える、
請求項１から５のいずれかに記載の表示装置。
【請求項７】
前記所定のパターンは、前記機器の動作モードを示す複数のモード表示を含み、
前記制御部は、前記機器の動作モードに応じて前記モード表示を切り換える、
請求項１から６のいずれかに記載の表示装置。
【請求項８】
前記所定のパターンは、複数の警告表示を含み、
前記制御部は、前記機器の状態に応じて、前記警告表示を切り換える、
請求項１から７のいずれかに記載の表示装置。
【請求項９】
前記所定のパターンは、前記機器に関する所定のパラメータを示すパラメータ表示を含み、
前記制御部は、前記パラメータの変化に応じて前記パラメータ表示を切り換える、
請求項１から８のいずれかに記載の表示装置。
【請求項１０】
前記所定のパターンは、複数のセグメントを含み、
前記制御部は、前記複数のセグメントのそれぞれの表示と非表示とを切り換えることで、前記パラメータを表示する、
請求項９に記載の表示装置。
【請求項１１】
前記所定のパターンは、７セグメント表示を含み、
前記制御部は、前記７セグメント表示によって前記パラメータを数値で表示する、
請求項９又は１０に記載の表示装置。
【請求項１２】
前記所定のパターンは、前記機器に関する第１のパラメータを示す第１パラメータ表示と、前記第１のパラメータと異なる第２のパラメータを示す第２パラメータ表示と、を含み、
前記制御部は、前記第１パラメータ表示と前記第２パラメータ表示とを切り換えて表示する、
請求項１から１１のいずれかに記載の表示装置。
【発明の詳細な説明】
【技術分野】
【０００１】
本発明は、表示装置に関する。
【背景技術】
【０００２】
機器には、機器に関する情報を表示するための表示装置が設けられている。例えば、特許文献１の表示装置は、液晶パネルを含む。特許文献１では、液晶パネルは、洗濯機に設けられ、洗濯・すすぎ・脱水・乾燥の各行程の設定時間や運転コース等を表示する。また、液晶パネルの視認性を向上させるために、各行程ごとにバックライトの色を変化させることが記載されている。
【０００３】
特許文献２の表示装置は、複数種類の操作画面を表示可能な液晶パネルを含む。液晶パネルは、タッチ操作式のパネルであり、タッチ操作に応じて表示する操作画面を遷移させることができる。
【先行技術文献】
【特許文献】
【０００４】
【特許文献１】特開２０１３−９４２１８号公報
【特許文献２】特開２０１４−０３３８４６号公報
【発明の概要】
【発明が解決しようとする課題】
【０００５】
特許文献１の表示装置では、液晶パネルは、セグメント方式による簡易な液晶表示である。そのため、表示の内容とその位置とは固定されている。従って、液晶パネル内の限られた範囲内に複数の表示を含めるために、表示の数や各表示の大きさは限定される。そのため、液晶パネル内の表示の視認性を向上させることは困難である。
【０００６】
特許文献２のような液晶パネルであれば、様々な表示を切り換えて表示することができる。そのため、容易に視認性を向上させることができる。しかし、特許文献２のような表示の自由度が高い液晶パネルはコストが高い。
【０００７】
本発明の目的は、低コストで表示装置の視認性を向上させることにある。
【課題を解決するための手段】
【０００８】
本開示の一態様は、収納空間を内部に有する機器に設けられる表示装置であって、窓部と、導光板と、光源と、制御部とを含む。窓部は、透光性材料で形成され、収容空間を機器の外部から視認可能である。導光板は、窓部に重ねて配置され、透光性材料で形成されている。光源は、導光板の端面から導光板の内部に向かって光を照射する。制御部は、光源を制御する。導光板は、複数のプリズムを含む。複数のプリズムは、光源からの光を反射することで、導光板の表面に所定のパターンを表示させる。制御部は、光源を制御して、所定のパターンの表示を切り換える。
【０００９】
本態様に係る表示装置では、窓部に重ねて配置された導光板の表面に所定のパターンを表示させることができる。また、不要なときには所定のパターンを表示させないことで、窓部を通して機器の収容空間を容易に視認することができる。従って、導光板に表示させるパターンの大きさ及び位置の自由度が高い。そのため、視認性を容易に向上させることができる。また、導光板に表示される所定のパターンはプリズムの形状や配置で調整することができる。そのため、表示の自由度が高い液晶パネルが用いられる場合と比べて、コストを低減することができる。
【００１０】
機器は、開口と扉部とを含んでもよい。開口は、収納空間に連通している。扉部は、開口を開閉可能に設けられる。窓部は、扉部に設けられてもよい。
【００１１】
機器は洗濯機であってもよい。洗濯機は、洗濯槽と、本体ハウジングと、扉部とを含んでもよい。収容空間は、洗濯槽を収容してもよい。開口は、収容空間に連通していてもよい。扉部は、開口を開閉可能に設けられてもよい。窓部は、扉部に設けられてもよい。この場合、洗濯機の窓部に所定のパターンを視認性よく表示することができる。また、不要なときには所定のパターンを表示させないことで、窓部を通して収容空間の洗濯物を容易に視認することができる。
【００１２】
機器は、加熱調理機器であってもよい。加熱調理機器は、加熱ユニットと、本体ハウジングと、扉部とを含んでもよい。本体ハウジングは、収容空間と開口とを含んでもよい。収容空間には、加熱ユニットによって加熱される物が配置されてもよい。開口は、収容空間に連通していてもよい。扉部は、開口を開閉可能に設けられてもよい。窓部は、扉部に設けられてもよい。この場合、加熱調理機器の窓部に所定のパターンを視認性よく表示することができる。また、不要なときには所定のパターンを表示させないことで、収容空間に置かれた料理などの物を窓部を通して容易に視認することができる。
【００１３】
制御部は、所定のパターンの表示と非表示とを切り換えてもよい。この場合、不要な場合にはパターンを非表示とすることで、窓部の視認性が阻害されることを防止できる。
【００１４】
機器は、操作部をさらに含んでもよい。制御部は、操作部の操作に応じて、所定のパターンの表示を切り換えてもよい。この場合、ユーザーは、操作部の操作を視覚的に容易に理解することができる。
【００１５】
所定のパターンは、機器の動作モードを示す複数のモード表示を含んでもよい。制御部は、機器の動作モードに応じてモード表示を切り換えてもよい。この場合、ユーザーは、機器の動作モードを視覚的に容易に把握することができる。
【００１６】
所定のパターンは、複数の警告表示を含んでもよい。制御部は、機器の状態に応じて、警告表示を切り換えてもよい。この場合、ユーザーは、機器の状態を視覚的に容易に把握することができる。
【００１７】
所定のパターンは、機器に関する所定のパラメータを示すパラメータ表示を含んでもよい。制御部は、パラメータの変化に応じてパラメータ表示を切り換えてもよい。この場合、ユーザーは、パラメータの変化を視覚的に容易に把握することができる。
【００１８】
所定のパターンは、複数のセグメントを含んでもよい。制御部は、複数のセグメントのそれぞれの表示と非表示とを切り換えることで、パラメータを表示してもよい。この場合、複数のセグメントの表示と非表示とによって、ユーザーは、パラメータの変化を視覚的に容易に把握することができる。
【００１９】
所定のパターンは、７セグメント表示を含んでもよい。制御部は、７セグメント表示によってパラメータを数値で表示してもよい。この場合、７セグメント表示による数値によって、ユーザーは、パラメータの変化を視覚的に容易に把握することができる。
【００２０】
所定のパターンは、機器に関する第１のパラメータを示す第１パラメータ表示と、第１のパラメータと異なる第２のパラメータを示す第２パラメータ表示と、を含んでもよい。制御部は、第１パラメータ表示と第２パラメータ表示とを切り換えて表示してもよい。この場合、必要に応じて、互いに異なる第１パラメータ表示と第２パラメータ表示とを切り換えて表示することができる。
【発明の効果】
【００２１】
本発明によれば、低コストで表示装置の視認性を向上させることができる。
【図面の簡単な説明】
【００２２】
【図１】機器の構成を示す模式図である。
【図２】表示装置の構成を示す模式図である。
【図３】導光板の構成を示す模式図である。
【図４】プリズムの形状を示す斜視図である。
【図５】導光板に表示される第１のパターンの一例を示す図である。
【図６】導光板に表示される第２のパターンの一例を示す図である。
【図７】導光板ディスプレイの第１の表示例を示す図である。
【図８】導光板ディスプレイの第２の表示例を示す図である。
【図９】導光板ディスプレイの第３の表示例を示す図である。
【図１０】導光板ディスプレイの第４の表示例を示す図である。
【図１１】導光板ディスプレイの第５の表示例を示す図である。
【図１２】導光板ディスプレイの第６の表示例を示す図である。
【図１３】導光板ディスプレイの第７の表示例を示す図である。
【図１４】導光板ディスプレイの第８の表示例を示す図である。
【図１５】第１実施例に係る洗濯機を示す斜視図である。
【図１６】洗濯機の正面図である。
【図１７】図１６におけるA−A断面図である。
【図１８】第１実施例に係る導光板ディスプレイの表示例を示す図である。
【図１９】第１実施例に係る導光板ディスプレイの表示例を示す図である。
【図２０】第１実施例に係る導光板ディスプレイの表示例を示す図である。
【図２１】第１実施例に係る導光板ディスプレイの表示例を示す図である。
【図２２】第２実施例に係る加熱調理機器を示す図である。
【図２３】図２２におけるB−B断面図である。
【図２４】第２実施例に係る導光板ディスプレイの表示例を示す図である。
【図２５】第２実施例に係る導光板ディスプレイの表示例を示す図である。
【図２６】他の実施形態に係るプリズムの例を示す図である。
【図２７】他の実施形態に係る光源の配置の例を示す図である。
【図２８】他の実施形態に係る機器を示す図である。
【発明を実施するための形態】
【００２３】
以下、図面を参照して実施形態にかかる表示装置１について説明する。図１は、表示装置１が適用される機器１００を示す模式図である。図１に示すように、機器１００は、本体ハウジング１０１と、扉部１０２とを含む。本体ハウジング１０１は、収納空間Ｓを内部に含む。本体ハウジング１０１は、収納空間Ｓに連通する開口１０３を含む。扉部１０２は開口１０３を開閉可能に設けられている。表示装置１は、扉部１０２に設けられている。
【００２４】
本体ハウジング１０１は、操作部１０４を含む。操作部１０４は、複数の操作スイッチ１０５を含む。操作スイッチ１０５は、例えば押しボタン式のスイッチである。操作スイッチ１０５は、スライド式、或いは回転式などの機械式のスイッチであってもよい。操作スイッチ１０５は、タッチパネル式のスイッチであってもよい。操作スイッチ１０５は、機器１００の処理の開始、或いは機器１００の設定を入力をするためのスイッチを含む。
【００２５】
図２は、表示装置１の構成を示す模式図である。表示装置１は、機器１００に関する情報を表示する。表示装置１は、窓部２と、導光板ディスプレイ３とを含む。図１に示すように、窓部２は、機器１００の扉部１０２に設けられている。窓部２は、透光性材料で形成されており、窓部２を通して収容空間Ｓを機器１００の外部から視認可能である。
【００２６】
図２に示すように、導光板ディスプレイ３は、導光板１０と、複数の光源１１，１２と、制御部１３と、記憶部１４とを含む。導光板１０は、窓部２に重ねて配置されている。導光板１０は、透光性材料で形成されている。導光板１０は、例えばポリメチルメタクリレート（ＰＭＭＡ）、ポリカーボネート、或いはシクロオレフィンポリマーなどの透明な樹脂で形成されている。
【００２７】
複数の光源１１，１２は、導光板１０の端面から導光板１０の内部に向かって光を照射する。複数の光源１１，１２は、第１の光源１１と第２の光源１２とを含む。光源１１，１２は、例えば発光ダイオードである。ただし、発光ダイオード以外の光源が用いられてもよい。光源１１，１２は、制御部１３からの制御信号に応じて点灯または消灯する。
【００２８】
制御部１３は、ＣＰＵ（Central Processing Unit）などのプロセッサと、ＲＡＭ（Random Access Memory）及びＲＯＭ（Read Only Memory）等のメモリとを含む。記憶部１４は、例えば、ハードディスクドライブ、ソリッドステートドライブ等の補助記憶装置である。制御部１３は、記憶部１４に保存されたプログラムやデータに基づいて光源１１，１２を制御する。
【００２９】
導光板１０は、導光板１０の表面に所定のパターンを表示させる複数のプリズム２０を含む。図３は、導光板１０の構成の一例を示す模式図である。図３に示すように、プリズム２０は、導光板１０の裏面１５に設けられている。プリズム２０は、光源１１又は１２からの光を導光板１０の表面１６に向けて反射することで、導光板１０の表面１６に所定のパターンを表示させるように配列されている。なお、図面においては、プリズム２０を強調して表示しているため、実際の大きさとは異なる。
【００３０】
図４は、プリズム２０の一例を示す図である。図４に示す例では、プリズム２０は、三角錐状の溝である。プリズム２０は、反射面２０ａと拡散面２０ｂ，２０ｃとを含む。反射面２０ａは、特定の光源（光源１１，１２の一方）からの光を全反射させて、導光板１０の表面１６から所定の視野範囲内に出射するように配置される。所定の視野範囲は、導光板１０の表面１６の法線方向を基準とする所定の角度範囲であり、表示装置１のユーザーが導光板１０のパターンを視認可能な範囲である。拡散面２０ｂ，２０ｃは、特定の光源以外からの光をユーザーが視認できないように、所定の視野範囲外の方向へ向けて反射するように配置される。
【００３１】
導光板１０は、複数のパターンを表示可能である。複数のパターンは、例えば、図５に示す第１のパターン３１と、図６に示す第２のパターン３２とを含む。導光板１０の複数のプリズム２０は、図５に示す複数の第１のプリズム２１と、図６に示す複数の第２のプリズム２２とを含む。複数の第１のプリズム２１は、第１のパターン３１に沿って配置される。複数の第２のプリズム２２は、第２のパターン３２に沿って配置される。なお、図面においては、第１のプリズム２１と第２のプリズム２２との一部のみに符号を付している。
【００３２】
第１のプリズム２１は、第１の光源１１からの光を反射して、導光板１０の表面１６に第１のパターン３１を表示するように配列されている。第２のプリズム２２は、第２の光源１２からの光を反射して、導光板１０の表面１６に第２のパターン３２を表示するように配列されている。
【００３３】
制御部１３は、第１の光源１１及び第２の光源１２の点灯と消灯とを制御して、第１のパターン３１と第２のパターン３２との表示を切り換える、制御部１３は、例えば、第１の光源１１を点灯させ、第２の光源１２を消灯する。それにより、図５に示すように、導光板１０には第１のパターン３１のみが表示される。制御部１３が第２の光源１２を点灯させ、第１の光源１１を消灯すると、図６に示すように、導光板１０には第２のパターン３２のみが表示される。
【００３４】
制御部１３が第１の光源１１と第２の光源１２との両方を消灯すると、第１のパターン３１及び第２のパターン３２の両方が非表示となる。また、制御部１３が第１の光源１１及び第２の光源１２の両方を点灯すると、第１のパターン３１と第２のパターン３２との両方が導光板１０に表示される。なお、図５及び図６に示す例では、導光板１０において、第１のパターン３１と第２のパターン３２とは互いに重なる位置に配置されている。しかし、導光板１０において、第１のパターン３１と第２のパターン３２とが離れて配置されてもよい。
【００３５】
図７は、導光板ディスプレイ３の第１の表示例を示す図である。図７（Ａ）に示すように、窓部２上には、導光板１０が重ねて配置されている。導光板１０は透明であるため、制御部１３が導光板１０のパターンを非表示とすると、ユーザーは、窓部２を通して、機器１００の収容空間Ｓを容易に視認することができる。
【００３６】
制御部１３が第１の光源１１を点灯すると、図７（Ｂ）に示すように、第１のパターン３１が導光板１０に表示される。第１のパターン３１は、窓部２に重ねて表示されている。従って、窓部２の広い範囲を利用して、第１のパターン３１を大きく目立つように表示することができる。
【００３７】
制御部１３が第２の光源１２を点灯すると、図７（Ｃ）に示すように、第２のパターン３２が導光板１０に表示される。第１のパターン３１と同様に、第２のパターン３２は、窓部２に重ねて表示されている。従って、窓部２の広い範囲を利用して、第２のパターン３２を大きく目立つように表示することができる。
【００３８】
例えば、第１のパターン３１は、機器１００の第１の設定を示す表示である。制御部１３は、ユーザーが操作スイッチ１０５いずれかを押して第１の設定を選択すると、第１のパターン３１を導光板１０に表示させる。第２のパターン３２は、機器１００の第２の設定を示す表示である。制御部１３は、ユーザーが操作スイッチ１０５のいずれかを押して第２の設定を選択すると、第２のパターン３２を導光板１０に表示させる。
【００３９】
図８は、導光板ディスプレイ３の第２の表示例を示す図である。図８（Ａ）では、図７（Ａ）と同様に、第１のパターン３１と第２のパターン３２との両方が導光板１０に表示されていない。本表示例では、窓部２には、印刷された第１表示３３と第２表示３４とが設けられている。
【００４０】
制御部１３が第１の光源１１を点灯すると、図８（Ｂ）に示すように、第１のパターン３１が導光板１０に表示される。第１のパターン３１は、印刷された第１表示３３を強調表示する。第１のパターン３１は、第１表示３３に対応する位置を照射することで、第１表示３３を強調表示する。
【００４１】
制御部１３が第２の光源１２を点灯すると、図８（Ｃ）に示すように、第２のパターン３２が導光板１０に表示される。第２のパターン３２は、印刷された第２表示３４を強調表示する。第２のパターン３２は、第２表示３４に対応する位置を照射することで、第２表示３４を強調表示する。なお、光源１１，１２は、第１表示３３及び第２表示３４と異なる色の光を照射してもよい。
【００４２】
図９は、導光板ディスプレイ３の第３の表示例を示す図である。第３の表示例では、制御部１３は、機器１００の動作モードに応じてモード表示を切り換える。動作モードは、例えば第１モードと第２モードとを含む。図９（Ａ）では、図７（Ａ）と同様に、第１のパターン３１と第２のパターン３２との両方が導光板１０に表示されていない。
【００４３】
機器１００の動作モードが第１モードであるときには、図９（Ｂ）に示すように、制御部１３は第１の光源１１を点灯して、第１のパターン３１を導光板１０に表示させる。機器１００の動作モードが第２モードであるときには、図９（Ｃ）に示すように、制御部１３は第２の光源１２を点灯して、第２のパターン３２を導光板１０に表示させる。本例では、第１のパターン３１及び第２のパターン３２は、動作モードを示す文字であるが、記号或いはアイコンであってもよい。
【００４４】
制御部１３は、操作部１０４によって選択された動作モードに対応するパターンを導光板１０に表示してもよい。或いは、制御部１３は、自動的に動作モードを切り換え、現在実行中の動作モードに対応するパターンを導光板１０に表示してもよい。
【００４５】
図１０は、導光板ディスプレイ３の第４の表示例を示す図である。第４の表示例では、制御部１３は、機器１００の状態に応じて、複数の警告表示を切り換えて導光板１０に表示する。図１０（Ａ）では、図７（Ａ）と同様に、第１のパターン３１と第２のパターン３２との両方が導光板１０に表示されていない。
【００４６】
機器１００の状態が所定の第１状態になると、図１０（Ｂ）に示すように、制御部１３は第１の光源１１を点灯して、第１のパターン３１を導光板１０に表示させる。第１のパターン３１は、機器１００の第１状態に対応する警告表示である。機器１００の状態が所定の第２状態になると、図１０（Ｃ）に示すように、制御部１３は第２の光源１２を点灯して、第２のパターン３２を導光板１０に表示させる。第２のパターン３２は、機器１００の第２状態に対応する警告表示である。警告表示は、例えば、機器１００の状態に応じてユーザーに対応を促す表示である。警告表示は、エラーコードであってもよい。警告表示は、文字に限らず、記号或いはアイコンであってもよい。
【００４７】
なお、第１〜第４の表示例において、パターンの数は、２つに限らず１つであってもよい。或いは、パターンの数は、３つ以上であってもよい。
【００４８】
図１１は、導光板ディスプレイ３の第５の表示例を示す図である。第５の表示例では、所定のパターンは、７セグメント表示を構成している。詳細には、所定のパターンは、第１〜第７パターン４１−４７を含む。導光板１０には、第１〜第７パターン４１−４７のそれぞれに対応して、複数の第１〜第７プリズム５１−５７が設けられている。制御部１３は、第１〜第７パターン４１−４７のそれぞれの表示と非表示とを切り換えることで、機器１００のパラメータを数値で表示する。なお、図示を省略するが、導光板ディスプレイ３は、第１〜第７パターン４１−４７のそれぞれに対応した複数の光源を含む。
【００４９】
図１１（Ａ）に示すように、制御部１３が複数の光源の全てを消灯すると、導光板１０には全てのパターンが表示されない。図１１（Ｂ）に示すように、制御部１３が第１〜第７パターン４１−４７の一部又は全てを表示すると、導光板１０には点灯されたパターンに応じた数値が表示される。制御部１３は、機器１００のパラメータが示す数値に対応するパターンを導光板１０に表示する。パラメータが示す数値が変化すると、制御部１３は、変化した数値に対応して、導光板１０に表示するパターンを変更する。なお、図１１では１桁の数値が導光板１０に表示されているが、２桁以上の数値が導光板１０に表示されてもよい。
【００５０】
図１２は、導光板ディスプレイ３の第６の表示例を示す図である。第６の表示例では、複数のパターン４１−４３は、複数のバー型のセグメントを構成している。例えば、複数のパターンは、第１〜第３のパターン４１−４３を含み、導光板１０には、第１〜第３のパターン４１−４３のそれぞれに対応して、複数の第１〜第３のプリズム５１−５３が設けられている。図１２（Ａ）から図１２（Ｃ）に示すように、制御部１３は、第１〜第３パターン４１−４３のそれぞれの表示と非表示とを切り換えることで、表示されるセグメントの数で、機器１００のパラメータを表示する。
【００５１】
なお、図示を省略するが、導光板ディスプレイ３は、第１〜第３パターン４１−４３のそれぞれに対応した複数の光源を含む。セグメントに対応するパターンの数は、３つに限らず、３つより少ない、或いは３つより多くてもよい。
【００５２】
図１３は、導光板ディスプレイ３の第７の表示例を示す図である。第７の表示例では、複数のパターン４１−４６は、複数の扇型のセグメントを構成している。複数の扇型のセグメントは、全体で円形となる。例えば、複数のパターン４１−４６は、第１〜第６のパターン４１−４６を含む。導光板１０には、第１〜第６のパターン４１−４６のそれぞれに対応して、複数の第１〜第６のプリズム５１−５６が設けられている。図１３（Ａ）から図１３（Ｃ）に示すように、制御部１３は、第１〜第６パターン４１−４６のそれぞれの表示と非表示とを切り換えることで、表示されるセグメントの数で、機器１００のパラメータを表示する。
【００５３】
なお、図示を省略するが、導光板ディスプレイ３は、第１〜第６パターン４１−４６のそれぞれに対応した複数の光源を含む。セグメントに対応するパターンの数は、６つに限らず、６つより少ない、或いは６つより多くてもよい。
【００５４】
第５〜第７の表示例において、パラメータは、機器１００の動作の経過時間、或いは残り時間などであってもよく、制御部１３が、カウントしたそれらの値に応じて、導光板１０に表示してもよい。パラメータは、機器１００で使用される物質の量であってもよく、制御部１３が、検出した物質の量に応じて、導光板１０に表示してもよい。或いは、制御部１３は、ユーザーによる操作部１０４の操作によって設定された数値を導光板１０に表示してもよい。
【００５５】
上述した第５〜第７の表示例における導光板１０のパターンが、制御部１３によって選択的に導光板１０に表示されてもよい。例えば、図１４は、導光板ディスプレイ３の第８の表示例を示す図である。所定のパターンは、図１４（Ａ）に示す第１パラメータ表示３５と、図１４（Ｂ）に示す第２パラメータ表示３６とを含んでもよい。第１パラメータ表示３５は、機器１００に関する第１のパラメータを示す。第２パラメータ表示３６は、第１のパラメータと異なる第２のパラメータを示す。本例では、第１パラメータ表示３５と第２パラメータ表示３６とは互いに重なる位置に配置されている。
【００５６】
第１のパラメータは、例えば機器１００の時間に関するパラメータであってもよい。第２のパラメータは、機器１００で使用される物質の量に関するパラメータであってもよい。或いは、第１パラメータと第２パラメータとは、それぞれ異なる種類の時間であってもよい。或いは、第１パラメータと第２パラメータとは、それぞれ異なる種類の物質の量であってもよい。
【００５７】
制御部１３は、第１パラメータ表示３５と第２パラメータ表示３６とを切り換えて表示する。制御部１３は、ユーザーによる操作部１０４の操作に応じて、第１パラメータ表示３５と第２パラメータ表示３６とを切り換えて表示してもよい。或いは、制御部１３は、制御部１３による判定に応じて、第１パラメータ表示３５と第２パラメータ表示３６とを切り換えて表示してもよい。
【００５８】
なお、第１パラメータ表示３５と第２パラメータ表示３６とは、互いに重ならない位置に配置されてもよい。また、第１パラメータ表示３５或いは第２パラメータ表示３６を構成するセグメントの形状は、第６の表示例のようなバー型、或いは第７の表示例のような扇形に限らず、他の形状であってもよい。或いは、第１パラメータ表示３５或いは第２パラメータ表示３６は７セグメント表示であってもよい。また、第１表示３３例から第７表示例のパターンが組み合わされて、導光板１０に表示されてもよい。
【００５９】
以上説明した本実施形態に係る表示装置１では、窓部２に重ねて配置された導光板１０の表面１６に所定のパターンを表示させることができる。また、不要なときには所定のパターンを表示させないことで、窓部２を通して機器１００内の収容空間Ｓを容易に視認することができる。従って、導光板１０に表示させるパターンの大きさ及び位置の自由度が高い。そのため、視認性を容易に向上させることができる。また、導光板１０に表示される所定のパターンはプリズム２０の形状や配置で調整することができる。そのため、表示の自由度が高い液晶パネルが用いられる場合と比べて、コストを低減することができる。
【００６０】
次に、表示装置が適用される実施例について説明する。図１５は、第１実施例に係る洗濯機２００を示す斜視図である。洗濯機２００は、いわゆるドラム式の洗濯機である。図１５に示すように、洗濯機２００は、洗濯槽２０１と、本体ハウジング２０２と、扉部２０３とを含む。本体ハウジング２０２は、収容空間Ｓと開口２０４を含む。収容空間Ｓは、洗濯槽２０１を収容する。洗濯槽２０１は、電気モータ等の図示しない駆動装置によって駆動される。開口２０４は、収容空間Ｓに連通している。扉部２０３は、開口２０４を開閉可能に設けられている。
【００６１】
洗濯機２００の上部には操作部２０５が配置されている。操作部２０５は、洗濯機２００を操作するための複数のスイッチを含む。操作部２０５のスイッチは、機械式のスイッチである。或いは、操作部２０５のスイッチは、タッチパネル式のスイッチであってもよい。
【００６２】
詳細には、操作部２０５は、電源スイッチ６１と、スタートスイッチ６２と、複数の設定スイッチ６３，６４とを含む。電源スイッチ６１は、洗濯機２００の電源のオン・オフを切り換えるためのスイッチである。スタートスイッチ６２は、洗濯機２００による洗濯を開始するためのスイッチである。設定スイッチ６３，６４は、行程設定スイッチ６３とコース設定スイッチ６４とを含む。
【００６３】
行程設定スイッチ６３は、「洗い」、「すすぎ」、「脱水」などの洗濯の各行程を選択するためのスイッチである。行程設定による個別の行程の設定が無い場合には、スタートスイッチ６２が操作されると、各行程が順次、自動的に実行される。
【００６４】
コース設定スイッチ６４は、「おまかせ」、「スピード」、「漕洗浄」などの洗濯のコースを選択するためのスイッチである。コース設定スイッチ６４によってコースが選択された後、スタートスイッチ６２が操作されると、選択されたコースに従って洗濯が行われる。
【００６５】
図１６は、洗濯機２００の正面図である。図１７は、図１６におけるA−A断面である。図１６及び図１７に示すように、第１実施例に係る表示装置１ａは、洗濯機２００の扉部２０３に設けられている。表示装置１ａは、窓部２ａと、導光板ディスプレイ３ａとを含む。導光板ディスプレイ３ａは、導光板１０ａと、図示しない複数の光源と制御部と記憶部とを含む。導光板１０ａは、窓部２ａ上に重ねて配置されている。導光板ディスプレイ３ａの構成については、上述した実施形態と同様であるため、詳細な説明を省略する。
【００６６】
図１８に示すように、導光板ディスプレイ３ａは、第１表示領域６６と第２表示領域６７とを含む。導光板ディスプレイ３ａは、第１表示領域６６に、洗濯機２００の動作モードを表示する。導光板ディスプレイ３ａは、洗濯機２００の動作モードに応じて、第１表示領域６６のモード表示６８を切り換える。動作モードは、上述した「洗い」、「すすぎ」、「脱水」などの洗濯の各行程であり、モード表示６８は、実行中の各行程を示す。このように本実施例では、洗濯機２００で実行中の動作モードが第１表示領域６６に大きく目立つように表示される。それにより、視認性を向上させることができる。
【００６７】
また、導光板ディスプレイ３ａは、第２表示領域６７に、図１８に示す第１パラメータ表示６９と、図１９に示す第２パラメータ表示７０とを選択的に表示する。第１パラメータ表示６９は、洗濯機２００に関する第１のパラメータを示す。第２パラメータ表示７０は、第１のパラメータと異なる洗濯機２００の第２のパラメータを示す。
【００６８】
図１８に示すように、第１パラメータ表示６９は、例えば洗濯の設定レベルを示す。設定レベルは、洗濯物の量に応じたレベルである。第１パラメータ表示６９は、複数のバー型のセグメントで示される。導光板ディスプレイ３ａは、設定レベルに応じて、表示されるセグメントの数を変更する。ユーザーは操作部２０５を操作することで、設定レベルを変更することができる。
【００６９】
図１９に示すように、第２パラメータ表示７０は、例えば洗濯の残り時間を示す。第２パラメータ表示７０は、複数のバー型のセグメントで示される。導光板ディスプレイ３ａは、残り時間に応じて、表示されるセグメントの数を変更する。
【００７０】
なお、導光板ディスプレイ３ａは、制御部１３が検出した洗濯の設定レベルを第１パラメータ表示６９によって表示してもよい。また、操作部２０５とを操作することで、ユーザーが洗濯時間を設定可能であってもよい。導光板ディスプレイ３ａは、ユーザーの操作に応じて設定された洗濯時間を第２パラメータ表示７０によって表示してもよい。第１パラメータ表示６９と第２パラメータ表示７０との切換は、ユーザーが操作部２０５を操作することで行われてもよい。
【００７１】
或いは、図２０に示すように、導光板ディスプレイ３ａは、７セグメント表示によるパラメータ表示７３を表示してもよい。パラメータ表示７３は、洗濯の設定レベル、残り時間、或いは水量などの数値を示してもよい。
【００７２】
以上のように、第１実施例では、洗濯機２００の窓部２ａの大きなスペースを利用して、パターンを大きく目立つように表示することができる。それにより、低コストで洗濯機２００の表示装置１ａの視認性を向上させることができる。また、パターンの表示が不要なときには、パターンを非表示とすることで、窓部２ａを通して洗濯機２００の収容空間Ｓを容易に視認することができる。
【００７３】
なお、導光板ディスプレイ３ａは、動作モードと異なるユーザーへの通知を表示してもよい。例えば、図２１のように、導光板ディスプレイ３ａは、フィルタ清掃の通知７４を表示してもよい。或いは、導光板ディスプレイ３ａは、洗剤補充の通知、偏心の通知などを表示してもよい。或いは、導光板ディスプレイ３ａは、次の作業を説明するためのガイドを表示してもよい。
【００７４】
導光板ディスプレイ３ａは、モード表示６８、パラメータ表示６９，７０，７３、及び通知７４を点滅して表示してもよい。その場合、ユーザーは、これらの表示だけではなく、窓部２ａを通して収容空間Ｓの状態も容易に視認することができる。
【００７５】
次に、第２実施例について説明する。図２２は、第２実施例に係る加熱調理機器３００を示す図である。加熱調理機器３００は、いわゆる電子レンジ、或いはオーブンレンジである。図２２に示すように、加熱調理機器３００は、加熱ユニット３０１と、本体ハウジング３０２と、扉部３０３とを含む。本体ハウジング３０２は、収容空間Ｓと開口３０４とを含む。収容空間Ｓには、加熱される物が配置される。開口３０４は、収容空間Ｓに連通している。扉部３０３は、開口３０４を開閉可能に設けられる。
【００７６】
加熱ユニット３０１は、収容空間Ｓ内の物を加熱する。加熱ユニット３０１は、マイクロ波を発生させることで、収容空間Ｓ内の物を加熱してもよい。加熱ユニット３０１は、高温のスチームを発生させることで、収容空間Ｓ内の物を加熱してもよい。加熱ユニット３０１は、電熱線の熱により、収容空間Ｓ内の物を加熱してもよい。或いは、加熱ユニット３０１は、他の加熱方法によって、収容空間Ｓ内の物を加熱してもよい。
【００７７】
本体ハウジング３０２には操作部３０５が配置されている。操作部３０５は、加熱調理機器３００を操作するための複数のスイッチを含む。操作部３０５のスイッチは、機械式のスイッチである。或いは、操作部３０５のスイッチは、タッチパネル式のスイッチであってもよい。
【００７８】
詳細には、操作部３０５は、スタートスイッチ３０６と、複数の設定スイッチ３０７，３０８とを含む。スタートスイッチ３０６は、加熱調理機器３００による処理を開始するためのスイッチである。設定スイッチ３０７，３０８は、加熱温度や加熱時間を設定するためのスイッチを含む。設定スイッチ３０７，３０８は、加熱される物の種類に応じたメニュー設定のためのスイッチを含んでもよい。
【００７９】
図２３は、図２２におけるB−B断面である。図２２及び図２３に示すように、第２実施例に係る表示装置１ｂは、加熱調理機器３００の扉部３０３に設けられている。表示装置１ｂは、窓部２ｂと、導光板ディスプレイ３ｂとを含む。導光板ディスプレイ３ｂは、導光板１０ｂと、図示しない複数の光源と制御部と記憶部とを含む。導光板１０ｂは、窓部２ｂ上に重ねて配置されている。導光板ディスプレイ３ｂの構成については、上述した実施形態と同様であるため、詳細な説明を省略する。
【００８０】
図２４に示すように、導光板ディスプレイ３ｂは、パラメータ表示７５を表示する。パラメータ表示７５は、加熱の残り時間、或いは加熱温度などの数値を７セグメント表示によって示してもよい。或いは、パラメータ表示７５は、上述した第６〜第８の表示例のように、表示されるセグメントの数で、加熱の残り時間、或いは加熱温度などのパラメータを示してもよい。
【００８１】
導光板ディスプレイ３ｂは、加熱調理機器３００の状態に応じて、複数の警告表示を切り換えて導光板１０ｂに表示してもよい。図２５に示すように、導光板ディスプレイ３ｂは、警告表示７６を表示する。警告表示７６は、例えば、エラーコードで示される。警告表示７６は、加熱調理機器３００の故障を示すものであってもよい。警告表示７６は、収納空間に何も置かれていない状態で加熱処理が実行されている場合など、ユーザーに対応を促すためのものであってもよい。警告表示７６は、エラーコードに限らず、加熱調理機器３００の状態を示す文字、或いはアイコンであってもよい。
【００８２】
以上のように、第２実施例では、加熱調理機器３００の窓部２ｂの大きなスペースを利用して、パターンを大きく目立つように表示することができる。それにより、低コストで加熱調理機器３００の表示装置１ｂの視認性を向上させることができる。また、パターンの表示が不要なときには、パターンを非表示とすることで、窓部２ｂを通して加熱調理機器３００収容空間Ｓを容易に視認することができる。
【００８３】
なお、導光板ディスプレイ３ｂは、パラメータ表示７５及び警告表示７６を点滅して表示してもよい。その場合、ユーザーは、警告表示７６だけではなく、窓部２ｂを通して収容空間Ｓの状態も容易に視認することができる。
【００８４】
以上、本発明の一実施形態について説明したが、本発明は上記実施形態に限定されるものではなく、発明の要旨を逸脱しない範囲で種々の変更が可能である。
【００８５】
表示装置は、上述した機器２００，３００以外にも、様々な機器に適用することができる。導光板ディスプレイの表示は、上述した表示例及び実施例に限らず、変更されてもよい。導光板ディスプレイの構成は、上述したものに限らず、変更されてもよい。例えば、プリズムの形状は、上述した三角錐型に限らず、変更されてもよい。プリズムは、図２６（Ａ）に示すような三角柱型、或いは他の多面体型であってもよい。或いは、プリズムは、図２６（Ｂ）に示すように両端が先細りの形状を有してもよい。
【００８６】
複数の光源の配置は、上述したものに限らず、変更されてもよい。例えば、図２７（Ａ）に示すように、光源１１，１２は、２方向から光を照射するように配置されてもよい。或いは、図２７（Ｂ）に示すように、複数の光源１１１−１１４が、４方向から光を照射するように配置されてもよい。なお、図示を省略するが、３方向から光を照射するように複数の光源が配置されてもよい。光源１１，１２，１１１−１１４は、それぞれ複数の発光素子を含んでもよい。
【００８７】
なお、図２７（Ａ）においては、導光板ディスプレイ３はコリメートレンズ１２１−１２２を含んでいる。図２７（Ｂ）においては、導光板ディスプレイ３はコリメートレンズ１２１−１２４を含んでいる。コリメートレンズは、光源からの光を所定方向に平行化する。ただし、コリメートレンズは省略されてもよい。
【００８８】
機器１００における表示装置１の配置は変更されてもよい。図２８に示すように、表示装置１は、機器１００において、扉部１０２以外の部分に配置されてもよい。例えば、窓部２が本体ハウジング１０１に固定的に取り付けられもよい。
【産業上の利用可能性】
【００８９】
本発明によれば、低コストで表示装置の視認性を向上させることができる。
【符号の説明】
【００９０】
１          表示装置
２          窓部
１０        導光板
１１，１２  光源
１３        制御部
２０        プリズム
１０３      開口
１０２      扉部
Ｓ          収納空間
【図１】
2019154860.tif 000003
【図２】
2019154860.tif 000004
【図３】
2019154860.tif 000005
【図４】
2019154860.tif 000006
【図５】
2019154860.tif 000007
【図６】
2019154860.tif 000008
【図７】
2019154860.tif 000009
【図８】
2019154860.tif 000010
【図９】
2019154860.tif 000011
【図１０】
2019154860.tif 000012
【図１１】
2019154860.tif 000013
【図１２】
2019154860.tif 000014
【図１３】
2019154860.tif 000015
【図１４】
2019154860.tif 000016
【図１５】
2019154860.tif 000017
【図１６】
2019154860.tif 000018
【図１７】
2019154860.tif 000019
【図１８】
2019154860.tif 000020
【図１９】
2019154860.tif 000021
【図２０】
2019154860.tif 000022
【図２１】
2019154860.tif 000023
【図２２】
2019154860.tif 000024
【図２３】
2019154860.tif 000025
【図２４】
2019154860.tif 000026
【図２５】
2019154860.tif 000027
【図２６】
2019154860.tif 000028
【図２７】
2019154860.tif 000029
【図２８】
2019154860.tif 000030